(57)【要約】【課題】  空気調和機と他の設備機器との連動制御を行うシステムの設計及び施工を簡単化でき、かつ機能の拡張に容易に対応可能にする。【解決手段】  室外ユニット２５ａと室内ユニット３ａとの間で送受する制御情報を、室外ユニットと室内ユニットの電力線４５に重畳して双方向に伝送する伝送変換装置２７，１３ａを有して構成され、空気調和機が設けられる建物に設けられた設備機器２，９とを連動させて制御する設備連動制御システムであって、設備機器の動作状態を検出するとともにその動作を制御する制御手段と、制御手段により検出された動作状態の検出信号をその設備機器が接続された電力線に重畳させる信号重畳手段と、設備機器が接続された電力線に重畳された制御信号を取り込んで制御手段に出力する信号復調手段とを有して形成された伝送変換装置１９，２１を備え、設備機器が接続された電力線と空気調和機の電力線が同一の電源に接続した構成とする。【選択図】  図１
2006234367.tif 000002
【特許請求の範囲】
【請求項１】
室外ユニットと室内ユニットとの間で送受する制御情報を、前記室外ユニットと前記室内ユニットの電力線に重畳して双方向に伝送する伝送変換装置を有して構成された空気調和機と、該空気調和機が設けられる建物に設けられた設備機器とを連動させて制御する空気調和機の設備連動制御システムであって、
前記設備機器の動作状態を検出するとともに該設備機器の動作を制御する制御手段と、該制御手段により検出された動作状態の検出信号を該設備機器が接続された電力線に重畳させる信号重畳手段と、前記設備機器が接続された前記電力線に重畳された制御信号を取り込んで前記制御手段に出力する信号復調手段とを有して形成された設備機器の伝送変換装置を備え、前記設備機器が接続された電力線と前記空気調和機の電力線が同一の電源に接続されてなる空気調和機の設備連動制御システム。
【請求項２】
前記室外ユニットの制御装置は、自己の伝送変換装置を介して前記設備機器の伝送変換装置が前記電力線に接続されたことを検出したとき、当該設備機器の伝送変換装置に系統番号と機器番号を付与することを特徴とする請求項1に記載の空気調和機の設備連動制御システム。
【発明の詳細な説明】
【技術分野】
【０００１】
本発明は、空気調和機の設備連動制御システムに係り、例えば、学校の教室やオフィスに設けられる空気調和機と、換気扇やドア開閉検出手段など各種の設備機器との連動制御を行うのに好適な空気調和機の設備連動制御システムに関する。
【背景技術】
【０００２】
空気調和機の設備連動制御システムとして、例えば、特許文献１又は特許文献２に記載の店舗管理システムが提案されている。この店舗管理システムによれば、例えば、空気調和機、照明器具、ショーケース、ドアなどの店舗に設けられた各種の設備機器の動作状態等を示す情報を、インターネットを介してサービスセンターへ送信し、サービスセンターは送信された情報に基づいて店舗で消費する電力が低減するように、空気調和機の運転やその他の設備機器の動作状態を連動させて制御するようにしている。
【０００３】
【特許文献１】特開２００３−９０５８６号公報
【特許文献２】特開２００４−６１１０６号公報
【発明の開示】
【発明が解決しようとする課題】
【０００４】
しかしながら、特許文献１、２に記載の店舗管理システムによれば、ドアなどの各種の設備機器の動作状態等を示す情報を伝送したり、設備機器に制御信号を伝送する伝送線を、変換器を介して空調機調和機の伝送線に接続するようにしているから、各種の設備機器ごとに新たに伝送線を敷設する必要がある。そのために、新たな配線工事が必要となり、工事量が増大するという問題がある。
【０００５】
また、既設の設備連動制御システムの機能を拡張するために、例えば、新たに換気扇との連動制御を追加しようとした場合には、電力線の他に伝送線を追加で敷設する必要があるから、機能の拡張が制約される場合がある。特に、伝送線は、情報伝送の信頼性確保の点から、電力線と一定の距離を離して配線する必要があり、追加の敷設の際は、それらを考慮する必要があり設計及び施工が煩雑である。
【０００６】
本発明は、空気調和機と他の設備機器との連動制御を行うシステムの設計及び施工を簡単化でき、かつ機能の拡張に容易に対応できる空気調和機の設備連動制御システムを提供することを課題とする。
【課題を解決するための手段】
【０００７】
上記課題を解決するために、本発明は、室外ユニットと室内ユニットとの間で送受する制御情報を、前記室外ユニットと前記室内ユニットの電力線に重畳して双方向に伝送する伝送変換装置を有して構成された空気調和機と、該空気調和機が設けられる建物に設けられた設備機器とを連動させて制御する空気調和機の設備連動制御システムであって、前記設備機器の動作状態を検出するとともに該設備機器の動作を制御する制御手段と、該制御手段により検出された動作状態の検出信号を該設備機器が接続された電力線に重畳させる信号重畳手段と、前記設備機器が接続された前記電力線に重畳された制御信号を取り込んで前記制御手段に出力する信号復調手段とを有して形成された設備機器の伝送変換装置を備え、前記設備機器が接続された電力線と前記空気調和機の電力線が同一の電源に接続されてなる構成とする。
【０００８】
このように構成することにより、設備機器連動装置の制御手段を設備機器に接続するとともに、設備機器連動装置の信号重畳手段と信号復調手段を設備機器の電力線に接続する簡単な作業だけで、空気調和機と設備機器の連動制御を実現することができる。つまり、設備機器の動作状態の検出信号及び設備機器の制御信号を伝送する専用伝送線を敷設する必要がないから、システムの設計及び施工を簡単化でき、かつ機能の拡張に容易に対応できる。
【０００９】
また、本発明の空気調和機の設備連動制御システムによれば、例えば、室外ユニットの制御装置により、室内ユニットの運転状態を認識するとともに、設備機器連動装置から伝送される設備機器の動作状態を認識し、これらに基づいて制御信号を室内ユニット及び設備機器に伝送することにより、空調機と設備機器の適切な連動制御を行うことができる。
【００１０】
また、室外ユニットの制御装置は、自己の伝送変換装置を介して設備機器の伝送変換装置が電力線に接続されたことを検出したとき、当該設備機器の伝送変換装置に系統番号と機器番号を付与するように構成することができる。
【発明の効果】
【００１１】
本発明によれば、空気調和機と他の設備機器との連動制御を行うシステムの設計及び施工を簡単化でき、かつ機能の拡張に容易に対応できる。
【発明を実施するための最良の形態】
【００１２】
以下、本発明の実施形態について図面を参照して説明する。
【００１３】
〔第１の実施形態〕
図１に、本発明の空気調和機の設備連動制御システムの一実施形態のブロック構成図を示す。本実施形態は、学校の教室の空気調和機に適用した例である。図１において、教室１には、空気調和機の室内ユニット３ａ，３ｂが複数（図示例では簡単のため２個示しているが、数は任意である。）設けられている。また、教室１には、設備機器として、ドア２と、対人センサー５と、照明器具７ａ，７ｂ、換気扇９及びドア開閉検出装置１１などが設けられている。
【００１４】
室内ユニット３ａ，３ｂには、それぞれ室内ユニット伝送変換装置１３ａ，１３ｂが設けられている。対人センサー５には対人センサー用の伝送変換装置１５が設けられている。同様に、照明器具７ａ，７ｂには照明器具用の伝送変換装置１７ａ，１７ｂが、換気扇９には換気扇用の伝送変換装置１９が、ドア２の開閉を検出するドア開閉検出装置１１にはドア開閉検出装置用の伝送交換装置２１が設けられている。また、教室１外の所定の場所に室外ユニット２５ａ，２５ｂ，２５ｃが複数（図示例では簡単のため３個示しているが、数は任意である。）設けられている。これらの室外ユニット２５ａ，２５ｂ，２５ｃと室内ユニット３ａ，３ｂとで空気調和機が構成される。
【００１５】
一方、各室外ユニット２５ａ，２５ｂ，２５ｃには、信号の伝送線２９が渡り配線により接続され、その伝送線２９には監視装置３１が接続されている。監視装置３１はインターネット等の通信回線３３を介して監視センターの監視制御機器３５に接続されている。また、伝送線２９は、室外ユニット伝送変換制御装置２７に接続されている。この室外ユニット伝送変換制御装置２７は、交流電源４１からブレーカ４３を介して室内ユニット３ａ，３ｂに電源を供給する電力線４５に接続されている。また、この電力線４５には、室内ユニット３ａ，４ｂ，対人センサー５，照明器具７ａ、７ｂ，換気扇９、ドア開閉検出装置１１の電力線が接続されている。さらに、電力線４５には、室内ユニット伝送変換装置１３ａ，１３ｂ、対人センサー用の伝送変換装置１５と、照明器具用の伝送変換装置１７ａ，１７ｂと、換気扇用の伝送変換装置１９と、ドア開閉検出装置用の伝送変換装置２１とが接続されている。
【００１６】
室外ユニット伝送変換制御装置２７は、室外ユニット２５ａ，２５ｂ，２５ｃが送受する伝送信号を、伝送線２９を介して電力線４５に重畳して双方向で通信できる通信機能を有している。室内ユニット伝送変換装置１３ａ，１３ｂは、空気調和機の室内ユニット３ａ，３ｂが送受する伝送信号を、電力線４５に重畳して双方向で通信できる通信機能を有している。同様に、各設備機器に設けられた伝送変換装置１５、伝送変換装置１７ａ，１７ｂ、伝送変換装置１９、伝送交換装置２１についても、各設備機器の動作状態の検出信号を電力線４５に重畳して送信するとともに、電力線４５に重畳された制御信号を取り込む双方向通信できる通信機能を有している。なお、図１において、点線は、電力線４５上を伝送される伝送信号の流れを示している。
【００１７】
例えば、室外ユニット２５ａに連動制御の親機能を持たせた場合、室外ユニット２５ａは、一電源系統の電力線４５に各種の設備機器の内の一つでも接続されたときに、室外ユニット伝送変換制御装置２７を介して、その設備機器の伝送交換装置に対して同一電源系統であることを示す系統番号と、当該設備機器に固有の機器番号とを付与することができるようになっている。また、室外ユニット２５ａは、系統番号及び機器番号の付与以後、各設備機器の状態が変化したことを対応する伝送変換装置が検出したときに、各設備機器の伝送変換装置から送出される系統番号、機器番号及び状態検出信号からなる伝送信号を、室外ユニット伝送変換制御装置２７を介して取込む。そして、その伝送信号に基づいて、室内ユニット３ａ，３ｂ用の系統番号、機器番号及び制御信号からなる伝送信号を、室内ユニット用の伝送変換装置１３ａ，１３ｂに対して送出して室内ユニット３ａ，３ｂを停止するなどの連動制御を行うようになっている。また、室外ユニット２５ａは、室外ユニット伝送変換制御装置２７を介して、各設備機器の伝送変換装置に対して設備機器用の系統番号、機器番号及び制御信号からなる伝送信号を送出して室内ユニット３ａ，３ｂと設備機器との連動運転を行うようになっている。
【００１８】
図２に、図１の実施形態の要部の詳細ブロック図を示す。なお、図２では、図１の室内ユニット伝送変換装置１３ｂを室内ユニット３ｂに一体的に組み込んだ室内ユニット３ｃとして表すとともに、室外ユニット２５ａ以外の室外ユニット等の図示、及び換気扇９以外の設備機器の図示を省略している。
【００１９】
図２に示すように、室外ユニット２５ａは、室外ユニット制御装置２５０ａと通信手段２５１ａとを内蔵している。室外ユニット制御装置２５０ａは制御信号を通信手段２５１ａとやりとりできるようになっている。通信手段２５１ａは、室外ユニット制御装置２５０ａからの制御信号を伝送線２９に送出し、伝送線２９からの制御信号を含む伝送信号を受信して室外ユニット制御装置２５０ａに送出できるようになっている。
【００２０】
室外ユニット伝送変換制御装置２７は、高インピーダンス回路２７０と、通信手段２７１と、信号復調手段２７２と、信号重畳手段２７３と、送信先電源系統決定手段２７４とを内蔵している。高インピーダンス回路２７０は、交流電力を通し、電力線４５に重畳された電力重畳信号を電源４１側に漏れないようにする回路である。信号復調手段２７２は電力線４５に重畳された伝送信号を復調して通信手段２７１に伝送するようになっている。信号重畳手段２７３は、通信手段２７１を介して室外ユニット２５ａから伝送される制御信号を電力線４５に重畳するようになっている。
【００２１】
室内ユニット伝送変換装置１３ａは、高インピーダンス回路１３０ａと、通信手段１３１ａと、信号復調手段１３２ａと、信号重畳手段１３３ａとから構成されている。高インピーダンス回路１３０ａは、交流電力を室内ユニット３ａ側に通過させ、電力線４５に重畳された伝送信号を室内ユニット３ａ側に漏れないようにする回路である。信号復調手段１３２ａは、電力線４５に重畳された伝送信号を復調して通信手段１３１ａに伝送するようになっている。信号重畳手段１３３ａは、通信手段１３１ａから伝送される制御信号を電力線４５に重畳するようになっている。高インピーダンス回路１３０ａを通過した交流電力は、室内ユニット３ａの空調機送風機３００ａに供給される。室内ユニット３ａは、空調機送風機３００ａと、これを制御する室内ユニット制御装置３０１ａと、室内ユニット制御装置３０１ａに接続された通信手段３０２ａとを備えている。室内ユニット伝送変換装置１３ａの通信手段１３１ａと室内ユニット３ａの通信手段３０２ａは、伝送線３０５ａを介して接続されている。
【００２２】
室内ユニット３ｃは、高インピーダンス回路１３０ｃと、信号復調手段１３２ｃと、信号重畳手段１３３ｃと、空調機送風機３００ｃと、室内ユニット制御装置３０１ｃとから構成されている。高インピーダンス回路１３０ｃは、交流電力を空調機送風機３００ｃ側に通過させ、電力線４５に重畳された伝送信号を室内ユニット３ａ側に漏れないようにする回路である。信号復調手段１３２ｃは、電力線４５に重畳された伝送信号を復調して室内ユニット制御装置３０１ｃに伝送するようになっている。信号重畳手段１３３ｃは、室内ユニット制御装置３０１ｃからの制御信号を電力線４５に重畳するようになっている。また、高インピーダンス回路１３０ｃを通過した交流電力は、室内ユニット３ｃの空調機送風機３００ｃに供給される。
【００２３】
換気扇用の伝送変換装置１９は、高インピーダンス回路１９０と、通信手段１９１と、信号復調手段１９２と、信号重畳手段１９３と、制御手段１９４とから構成されている。制御手段１９４は、設備機器である換気扇９の動作状態を検出するとともに、換気扇９の動作を制御するようになっている。高インピーダンス回路１９０は、交流電力を換気扇９ｃ側に通過させ、電力線４５に重畳された伝送信号を換気扇９側に漏れないようにする回路である。信号復調手段１９２は、電力線４５に重畳された換気扇９に対する制御信号を復調して通信手段１９１に伝送するようになっている。信号重畳手段１９３は、通信手段１９１からの検出信号を電力線４５に重畳して出力するようになっている。通信手段１９１は、制御手段１９４に制御信号を伝送し、又は、制御手段１９４からの検出信号を取り込んで信号重畳手段１９３に伝送するようになっている。また、高インピーダンス回路１９０を通過した交流電力は、制御手段１９４の制御の下に換気扇９に供給される。なお、換気扇９は、制御手段１９４の制御下に、オンオフ制御される。
【００２４】
このように構成された空気調和機の設備連動制御システムの動作を説明する。例えば、室内ユニット伝送変換装置１３ａ，１３ｂと、対人センサー用の伝送変換装置１５と、照明器具用の伝送変換装置１７ａ，１７ｂと、換気扇用の伝送変換装置１９と、ドア開閉検出装置用の伝送交換装置２１と、室外ユニット伝送変換装置２７に電源４１から電力線４５を介して電力が供給される。
【００２５】
まず、室外ユニット制御装置２５０ａは、電力線４５に接続された室内ユニット用の伝送変換装置１３ａ，１３ｂ、対人センサー用の伝送変換装置１５、照明器具用の伝送変換装置１７ａ，１７ｂ、換気扇用の伝送変換装置１９及びドア開閉検出装置用の伝送交換装置２１に対し、同一の連動制御システムに属することを示す系統番号を、室外ユニット伝送変換装置２７を介して電力線４５に重畳して出力する。これにより、電力線４５に接続された各伝送変換装置は、自己が属する連動制御システムのグループの系統番号を認識し、各通信手段に記憶する。また、室外ユニット制御装置２５０ａは、各設備機器に対して固有の機器番号を順次付与するため、室外ユニット伝送変換装置２７を介して電力線４５に重畳して各設備機器の機器番号を順次出力する。これらの機器番号を受信した室内ユニット伝送変換装置１３ａ、１３ｃ及び例えば換気扇用の伝送変換装置１９は、自己に付与された機器番号を室内ユニット制御装置３０１ｃ、通信手段１３１ａ，１９１等に記憶する。このようにして、それぞれの伝送変換装置に対し、自己が属するグループの系統番号と自己の機器番号が自動的に付与される。これらの系統番号と機器番号は、室外ユニット制御装置２５０ａと各設備機器の伝送変換装置との間で送受する制御信号に付されて電力線４５を伝送される。
このような初期設定が完了した後、室外ユニット制御装置２５０ａは室外ユニット伝送変換装置２７を介して、室内ユニット伝送変換装置１３ａ等と制御信号をやりとりして室内ユニット３ａ等を制御する。また、換気扇用の伝送変換装置１９と信号をやりとりして、換気扇９を空調機に連動させて制御する。すなわち、室外ユニット制御装置２５０ａは室外ユニット伝送変換装置２７を介して、伝送変換装置１９から制御手段１９４を介して換気扇９の動作状態を検出した検出信号を取り込む。そして、換気扇９に対する制御信号を換気扇９の機器番号を付して、室外ユニット伝送変換装置２７を介して電力線４５に出力する。これにより、伝送変換装置１９は電力線４５から換気扇９に対する制御信号を取り込み、信号復調手段１９２で復調して、制御手段１９４に伝送する。これにより、制御手段１９４は制御信号に従って換気扇９を、例えば、オンオフ制御する。
【００２６】
同様に、例えばドア２が開放されたことを、ドア開閉検出装置１１を介してドア開閉検出装置用の伝送交換装置２１が検出すると、伝送交換装置２１からドア開の検出信号を系統番号と自己の機器番号を付して電力線４５に重畳して送出する。この検出信号は、室外ユニット伝送変換装置２７を介して室外ユニット制御装置２５０ａに取り込まれる。そして、室外ユニット制御装置２５０ａは、室外ユニット伝送変換装置２７を介して電力線４５に、例えば、室内ユニット３ａに対して空調量の増大指令などの制御信号を電力線４５に重畳して送出する。これにより、室内ユニット制御装置３０１ａは、空調量の増大制御を行う。
【００２７】
このように各設備機器の状態変化に連動させて、空気調和機を制御することにより、快適な環境を創出することができる。また、電力線４５に新たな設備機器及びその伝送変換装置が接続されると、室外ユニット制御装置２５０ａは、各設備機器の伝送変換装置に新たな系統番号と機器番号を自動的に与えることができるため、機器の拡張生が高くなる。
【００２８】
すなわち、本発明の第１の実施形態に係る空気調和機の設備連動制御システムによれば、電力重畳した制御信号を含む伝送信号を単に機器が接続された電力線や、空気調和機が接続された電力線に伝送するだけで、空気調和機と他の設備機器との連動制御を行うことができる。また、空気調和機と他の各設備機器の連動制御を行うための制御信号を伝送する制御信号線の工事を省略することができ、しかも、単に同一の電力系統の電力線に機器を接続するだけで、設備機器と空気調和機との連動制御ができるので、拡張性に優れたシステムを提供することができる。
【００２９】
また、第1の実施形態によれば、新たに接続された設備機器に、グループを示す系統番号及び機器番号が自動的に付与されるから、例えば、部屋ごとにグループを異ならせて設定すれば、設備機器を他の部屋に移動して電力線に接続するだけで、移動後のグループに属する設備機器として扱われる。その結果、利用者は連動制御を認識しなくても、移動的に連動制御に組み入れられるから、使い勝手がよい。
【００３０】
〔第２の実施形態〕
次に、本発明の第２の実施形態を図３及び図４を参照して説明する。図３は、本実施形態に係る空気調和機の設備連動制御システムを学校の教室に適用した例のブロック図である。この図３において、第１の実施形態の構成要素と同一のものには、同一の符号を付して説明をする。
【００３１】
図３に示す本実施形態は、室外ユニット２５ａ，２５ｂ，２５ｃ及び一方の電源系統Ａの電力線４５Ａに接続されている室内ユニット３ａ，３ｂからなる空気調和機と、一方の電源系統Ａとは別の他の電源系統Ｂの電力線４５Ｂに接続されている換気扇９などの設備機器とを備え、設備機器の状態に応じて空気調和機を連動制御できるようにした設備連動制御システムである。図３において、室外ユニット伝送変換制御装置２７Ａと、空気調和機の室内ユニット用の伝送変換装置１３ａ，１３ｂとは、一方の電源系統Ａの電力線４５Ａに接続されている。
また、設備機器である換気扇９の動作状態の検出及び運転停止制御を行う伝送信号を他方の電源系統の電力線に重畳して双方向通信する換気扇用の伝送変換装置１９と、室外ユニット伝送変換制御装置２７Ａとの間で通信が可能であるほか、換気扇用の伝送変換装置１９に対して他方の電源系統Ｂの電力線４５Ｂに重畳して双方向通信ができる設備機器伝送変換制御装置２７Ｂとは、他方の電源系統Ｂの電力線４５Ｂに接続されている。
【００３２】
また、室外ユニット伝送変換制御装置２７Ａと、設備機器伝送変換制御装置２７Ｂとは、伝送線２９ａで接続されている。なお、対人センサー５、照明器具７ａ，７ｂ及びドア開閉検出装置１１と、対人センサー用の伝送変換装置１５、照明器具用の伝送変換装置１７ａ，１７ｂ及びドア開閉検出装置用の伝送交換装置２１は、この第２の実施形態では、一方の電力系統Ａの電力線４５Ａに接続されているものとして構成及び動作の説明を省略する。また、図３において、点線は伝送信号の流れを示している。
【００３３】
図４は、本実施形態に係る空気調和機の設備連動制御システムの要部を詳細に示すブロック図である。なお、図４では、図２のシステム構成の一部の詳細を示すほか、室内ユニット用の伝送変換装置を一体的に組み込んだ室内ユニット３ｃを追加し、また、室外ユニット２５ａのみを表示している。
室外ユニット伝送変換制御装置２７Ａは、高インピーダンス回路２７０Ａと、通信手段２７１Ａと、信号復調手段２７２Ａと、信号重畳手段２７３Ａと、伝送信号を通信する電源系統を決定する電源系統決定手段２７５Ａと、空気調和機の室外ユニット２５ａ，２５ｂ，２５ｃと室内ユニット３ａ，３ｂとの間の通信を休止させる空調機間通信休止手段２７６Ａとを備えている。
【００３４】
設備機器伝送変換制御装置２７Ｂは、高インピーダンス回路２７０Ｂと、通信手段２７１Ｂと、信号復調手段２７２Ｂと、信号重畳手段２７３Ｂと、電源系統決定手段２７７Ｂとを備えている。設備機器伝送変換制御装置２７Ｂは、電源系統決定手段２７７Ｂの制御の下に、設備機器である換気扇９の状態が変化したことを伝送変換装置１９で検出したときに、伝送変換装置１９から送出される系統番号、機器番号及び状態検出信号からなる伝送信号を、他方の電源系統Ｂの電力線４５Ｂを介して取り込んだ後に、室外ユニット伝送変換制御装置２７Ａに伝送線２９ａを介して送出する。
【００３５】
また、設備機器伝送変換制御装置２７Ｂは、室外ユニット伝送変換制御装置２７Ａからの伝送信号を伝送線２９ａを介して受信したときには、電源系統決定手段２７７Ｂの制御の下に、その伝送信号を他方の電源系統Ｂの電力線４５Ｂを介して換気扇用の伝送変換装置１９に送出できる。
室外ユニット２５ａは、他方の電源系統Ｂに新たな設備機器が接続されたときに、その情報が室外ユニット伝送変換制御装置２７Ａ、伝送線２９ａを介して与えられるので、新たな設備機器の伝送交換装置に対して他方の電源系統Ｂであることを示す系統番号「例えばＢ１」とその機器に固有な機器番号「例えば０５」とを付与し、その付与した情報を伝送線２９ａ、室外ユニット伝送変換制御装置２７Ａを介して新たな設備機器の伝送交換装置に伝送できる。
【００３６】
あるいは、一方の電源系統Ａの電力線４５Ａに新たな室内ユニットが接続されたことを、新たな室内ユニットの伝送交換装置を介して室外ユニット伝送変換制御装置２７Ａで検出したときには、室外ユニット伝送変換制御装置２７Ａは、新たな室内ユニットの伝送交換装置に対して一方の電源系統Ａであることを示す系統番号「例えばＡ１」とその機器に固有な機器番号「例えば０３」とを付与し、その付与した情報を室外ユニット伝送変換制御装置２７Ａの電源系統決定手段２７５Ａの制御下に、室外ユニット伝送変換制御装置２７Ａから新たな室内ユニットの伝送交換装置に送出できる。
系統番号及び機器番号の付与以後については、例えば換気扇９の状態が変化したことを換気扇用の伝送変換装置１９で検出したときに、換気扇用の伝送変換装置１９から送出される系統番号、機器番号及び状態検出信号からなる伝送信号を、設備機器伝送変換制御装置２７Ｂに取り込む。
【００３７】
設備機器伝送変換制御装置２７Ｂでは、変化したことを示す伝送信号を伝送線２９ａを介して室外ユニット伝送変換制御装置２７Ａに送る。室外ユニット伝送変換制御装置２７Ａでは、伝送信号に応じて室内ユニット３ａ，３ｂ用の系統番号、機器番号及び制御信号からなる伝送信号を一方の電力系統Ａの電力線４５Ａに重畳して室内ユニット用の伝送変換装置１３ａ，１３ｂに対して与え、室内ユニット３ａ，３ｂを停止するなどの連動制御を行う。
【００３８】
あるいは、室外ユニット伝送変換制御装置２７Ａは、空調機間通信休止手段２７６Ａの制御下で空調機間通信を休止させ、かつ、伝送信号に応じた制御信号からなる伝送信号を生成し、その生成した伝送信号を伝送線２９ａを介して設備機器伝送変換制御装置２７Ｂに与える。
【００３９】
設備機器伝送変換制御装置２７Ｂは、該換気扇用の伝送変換装置１９に対して設備機器の系統番号、機器番号及び制御信号からなる伝送信号を送出し、換気扇９の運転を制御する。このようにして、室内ユニット３ａ，３ｂ，３ｃと、換気扇９との連動運転を行うことができる。
【００４０】
なお、その他の連動運転制御は、電力系統が異なるだけで、第１の実施形態に係る空気調和機の設備連動制御システムと同一なので説明を省略する。
【００４１】
したがって、本実施形態に係る空気調和機の設備連動制御システムによれば、電力重畳した制御信号を含む伝送信号を単に機器が接続された電力線や、空気調和機が接続された電力線に伝送するだけで、空気調和機と他の設備機器との連動制御を行うことができるほか、空気調和機と他の設備機器の連動制御を行うための制御信号を伝送する制御信号線の工事を省略することができる。しかも、単に電力系統の電力線に機器を接続するだけで、設備機器と空気調和機との連動制御ができるので、拡張性に優れたシステムを提供することができる。
【００４２】
なお、第１の実施形態及び第２の実施形態において、例えば換気扇９の状態の変化に応じて、室内ユニット３ａ，３ｂのみの運転停止制御、あるいは、換気扇９の状態変化に伴って換気扇９を制御するようにしたが、室内ユニット３ａ，３ｂ及び換気扇９の双方を制御してもよい。
【００４３】
また、第１の実施形態及び第２の実施形態の設備連動制御システムによれば、学校の教室１内の状況に応じて、単独で換気扇９の運転停止を制御してもよいし、室内ユニット３ａ，３ｂを単独に運転停止の制御をしてもよい。
【００４４】
さらに、ドア２が開放されたことを検出したときに、その変化の状態に応じて室内ユニット３ａ，３ｂの運転を停止したり、換気扇９の運転を停止したり、あるいは、双方の運転を停止するなどの制御もできる。
【００４５】
加えて、対人センサー５からの検出信号により、人が学校の教室１内にいないことが検出されたときには、例えば照明器具７ａ，７ｂを消灯するなどの制御もすることができる。
【００４６】
また、例えば学校の教室１で使用していた器具（例えば照明器具７ａ，７ｂ）を、別の教室に移設した場合なども、系統番号等を自動付与する動作をするので、電源配線をするのみで、直ちに使用することができる。
【図面の簡単な説明】
【００４７】
【図１】本発明の第１の実施形態に係る空気調和機の設備連動制御システムを学校の教室に適用した例を示すブロック図である。
【図２】本発明の第１の実施形態に係る空気調和機の設備連動制御システムの要部を詳細に示すブロック図である。
【図３】本発明の第２の実施形態に係る空気調和機の設備連動制御システムを学校の教室に適用した例を示すブロック図である。
【図４】本発明の第２の実施形態に係る空気調和機の設備連動制御システムの要部を詳細に示すブロック図である。
【符号の説明】
【００４８】
１  学校の教室
３ａ，３ｂ，３ｃ  室内ユニット
９  換気扇
１１  ドア開閉検出装置
１３ａ，１３ｂ  室内ユニット用の伝送変換装置
１９  換気扇用の伝送変換装置
２１  ドア開閉検出装置用の伝送交換装置
２５ａ，２５ｂ，２５ｃ  室外ユニット
２７，２７Ａ  室外ユニット伝送変換制御装置
２７Ｂ  設備機器伝送変換制御装置
２９，２９ａ  伝送線
４５    電力線  
４５Ａ  一方の電力系統の電力線  
４５Ｂ  他方の電力系統の電力線
【図１】
2006234367.tif 000003
【図２】
2006234367.tif 000004
【図３】
2006234367.tif 000005
【図４】
2006234367.tif 000006